(57)【要約】【課題】実施形態は、管径を細くし剛性を向上させることが可能な直管形の照明装置を提供する。【解決手段】実施形態に係る照明装置は、第１基板と、第１方向に沿って前記第１基板上に実装された複数の第１発光体と、前記第１基板に対して前記第１方向に並設された第２基板と、前記第２基板上において前記第１方向に沿って実装された複数の第２発光体と、前記第１基板と前記第２基板との間を電気的に接続する第１配線と、を備える。前記第１基板は、隣り合う２つの第１発光体のそれぞれの中心を通り、前記第１方向に直交する第２方向に延びる２つの中心線の間において、前記隣り合う２つの第１発光体の間のスペースに向かって延在する第１パッドを有し、前記第１配線の一方の端は、前記第１パッドに接続される。【選択図】図１
2015056386.tif 000002
【特許請求の範囲】
【請求項１】
第１基板と、
前記第１基板の表面に平行な第１方向に沿って、前記第１基板上に実装された複数の第１発光体と、
前記第１基板に対して前記第１方向に並設された第２基板と、
前記第２基板上において前記第１方向に沿って実装された複数の第２発光体と、
前記第１基板と、前記第２基板と、の間を電気的に接続する第１配線と、
を備え、
前記第１基板は、前記複数の第１発光体のうちの隣り合う２つの第１発光体のそれぞれの中心を通り、前記表面内において前記第１方向に直交する第２方向に延びる２つの中心線の間において、前記隣り合う２つの第１発光体の間のスペースに向かって延在する第１パッドを有し、
前記第１配線の一方の端は、前記第１パッドに接続された照明装置。
【請求項２】
前記第１配線の前記一方の端は、前記隣り合う２つの第１発光体の間のスペースの方向に曲げられる請求項１記載の照明装置。
【請求項３】
前記第２基板は、前記複数の第２発光体のうちの隣り合う２つの第２発光体のそれぞれの中心を通り、前記第２方向に延びる２つの中心線の間において、前記隣り合う２つの第２発光体の間のスペース向かって延在する第２パッドを有し、
前記第１配線の他方の端は、前記第２パッドに接続される請求項１または２に記載の照明装置。
【請求項４】
前記第１配線の前記他方の端は、前記隣り合う２つの第２発光体の間のスペースの方向に曲げられる請求項３記載の照明装置。
【請求項５】
前記第１基板および前記第２基板のそれぞれの上において、前記第１発光体および前記第２発光体を挟んで前記第１配線とは反対側に設けられ、前記第１基板と、前記第２基板と、を電気的に接続する第２配線をさらに備え、
前記第１基板は、前記隣り合う２つの第１発光体とは別の隣り合う２つの第１発光体のそれぞれの中心を通り、前記第２方向に延びる２つの中心線の間に設けられ、前記別の隣り合う２つの第１発光体の間のスペースに向かって延在する第３パッドをさらに有し、
前記第２配線の一方の端は、前記第３パッドに接続され、
前記第２基板は、前記隣り合う２つの第２発光体とは別の隣り合う２つの第２発光体のそれぞれの中心を通り、前記第２方向に延びる２つの中心線の間に設けられ、前記別の隣り合う２つの第２発光体の間のスペースに向かって延在する第４パッドをさらに有し、
前記第２配線の他方の端は、前記第４パッドに接続される請求項３または４に記載の照明装置。
【発明の詳細な説明】
【技術分野】
【０００１】
実施形態は、照明装置に関する。
【背景技術】
【０００２】
発光ダイオード（Light Emiting Diode：ＬＥＤ）を用いた照明装置は、低消費電力、長寿命の光源として用途が拡大しつつある。そして、電球や蛍光灯などの外形を有し、ＬＥＤを内蔵する照明装置のニーズも大きい。しかしながら、ＬＥＤ照明装置の高輝度化には多数のＬＥＤチップを要するため、その外形を従来の照明装置の規格に適合させることが難しい場合がある。
【先行技術文献】
【特許文献】
【０００３】
【特許文献１】特開２０１０−１５３３８３号公報
【発明の概要】
【発明が解決しようとする課題】
【０００４】
実施形態は、管径を細くし剛性を向上させることが可能な直管形の照明装置を提供する。
【課題を解決するための手段】
【０００５】
実施形態に係る照明装置は、第１基板と、前記第１基板の表面に平行な第１方向に沿って、前記第１基板上に実装された複数の第１発光体と、前記第１基板に対して前記第１方向に並設された第２基板と、前記第２基板上において前記第１方向に沿って実装された複数の第２発光体と、前記第１基板と、前記第２基板と、の間を電気的に接続する第１配線と、を備える。前記第１基板は、前記複数の第１発光体のうちの隣り合う２つの第１発光体のそれぞれの中心を通り、前記表面内において前記第１方向に直交する第２方向に延びる２つの中心線の間において、前記隣り合う２つの第１発光体の間のスペースに向かって延在する第１パッドを有し、前記第１配線の一方の端は、前記第１パッドに接続される。
【図面の簡単な説明】
【０００６】
【図１】実施形態に係る照明装置を表す模式図。
【図２】実施形態に係る照明装置に使用される部材を表す模式図。
【図３】実施形態の変形例に係る照明装置を表す模式図。
【図４】実施形態の別の変形例に係る照明装置を表す模式図。
【図５】比較例に係る照明装置を表す模式図。
【発明を実施するための形態】
【０００７】
以下、実施の形態について図面を参照しながら説明する。図面中の同一部分には、同一番号を付してその詳しい説明は適宜省略し、異なる部分について説明する。なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。
【０００８】
図１は、実施形態に係る照明装置１を表す模式図である。図１（ａ）は、照明装置１の外形を表す模式図である。図１（ｂ）は、図１（ａ）に示すＡ−Ａ線に沿った断面図である。図１（ｃ）は、照明装置１に用いられる基板の表面を表す模式図である。
【０００９】
照明装置１は、例えば、直管形の蛍光灯と同じ外形を有するＬＥＤ照明装置である。図１（ａ）に表すように、照明装置１は、透光性カバー１０と、その両端に設けられた口金１３と、を備える。透光性カバー１０には、例えば、ポリカーボネートなどの樹脂が用いられる。
【００１０】
図１（ｂ）に表すように、透光性カバー１０の内部には、例えば、台座２０と基板３０とが配置される。台座２０は、例えば、アルミニウム製であり中空構造を有する。台座２０は、例えば、管状の透光性カバー１０の内面にフィットする半円柱形であり、透光性カバー１０の長手方向に延びる。台座２０の上面２３には、基板３０が載置され、カシメ部２５により固定される。また、台座２０は、透光性カバー１０の内面に設けられた突起１５により係止される。
【００１１】
照明装置１は、複数の基板３０を備え、各基板３０は、透光性カバーの延在方向に並べて配置される。基板３０の上には、複数の発光体４０が実装される。そして、隣り合う基板３０の間を電気的に接続する配線（以下、リード線５１、５３）が設けられる。
【００１２】
図１（ｃ）は、複数の基板３０のうちの第１基板（以下、基板３０ａ）および第２基板（以下、基板３０ｂ）の一部を表す平面図である。基板３０ａおよび基板３０ｂは、各基板の表面に平行な第１方向（Ｘ方向）に並べて配置される。Ｘ方向は、透光性カバー１０の延在方向に一致する。
【００１３】
なお、以下の実施形態では、複数の要素を包括して表す符号、例えば、基板３０と、複数の要素をそれぞれ個別に表す符号、例えば、基板３０ａ、３０ｂと、を適宜使い分けて説明する。
【００１４】
基板３０ａは、その表面に形成された配線パターン３３ａを有する。そして、基板３０ａの上には、複数の発光体４０のうちの第１発光体（以下、ＬＥＤ４１）が実装される。ＬＥＤ４１は、例えば、Ｘ方向に並べて配置され、配線パターン３３ａにより相互に電気的に接続される。
【００１５】
基板３０ｂは、その表面に形成された配線パターン３３ｂを有する。そして、基板３０ｂの上には、複数の発光体４０のうちの第２発光体（以下、ＬＥＤ４３）が実装される。ＬＥＤ４３は、例えば、Ｘ方向に並べて配置され、配線パターン３３ｂにより相互に電気的に接続される。
【００１６】
照明装置１は、基板３０ａと基板３０ｂとの間を電気的に接続する第１配線（以下、リード線５１）と、第２配線（以下、リード線５３）と、を備える。
【００１７】
図１（ｂ）に表すように、基板３０ａは、隣り合う２つのＬＥＤ４１ａおよび４１ｂの間に、第１パッド（以下、パッド部３５ａ）を有する。パッド部３５ａは、配線パターン３３ａの一部であり、ＬＥＤ４１ａの中心を通り、基板３０ｂの表面内においてＸ方向に直交するＹ方向（第２方向）に延びる中心線Ｃ１と、ＬＥＤ４１ｂの中心を通りＹ方向に延びる中心線Ｃ２と、の間に設けられる。そして、パッド部３５ａは、ＬＥＤ４１ａとＬＥＤ４１ｂとの間のスペースに向かって延在する。
【００１８】
リード線５１の一方の端５１ａは、パッド部３５ａに接続される。例えば、リード線５１の端５１ａは、パッド部３５ａの上に半田付けされる。そして、リード線５１の端５１ａは、好ましくは、ＬＥＤ４１ａとＬＥＤ４１ｂとの間のスペースの方向に曲げて接続される。
【００１９】
一方、基板３０ｂは、隣り合う２つのＬＥＤ４３ａおよび４３ｂの間に、第２パッド（以下、パッド部３７ａ）を有する。パッド部３７ａは、配線パターン３３ｂの一部であり、ＬＥＤ４３ａの中心を通りＹ方向（第２方向）に延びる中心線Ｃ４と、ＬＥＤ４３ｂの中心を通りＹ方向に延びる中心線Ｃ５と、の間に設けられる。そして、パッド部３７ａは、ＬＥＤ４３ａとＬＥＤ４３ｂとの間のスペースに向かって延在する。
【００２０】
リード線５１の他方の端５１ｂは、パッド部３７ａに接続される。例えば、リード線５１の端５１ｂは、パッド部３７ａの上に半田付けされる。そして、リード線５１の端５１ｂは、好ましくは、ＬＥＤ４３ａとＬＥＤ４３ｂとの間のスペースの方向に曲げて接続される。
【００２１】
照明装置１は、基板３０ａおよび３０ｂの上において、ＬＥＤ４１およびＬＥＤ４３を挟んでリード線５１とは反対側に設けられ、基板３０ａと、基板３０ｂと、を電気的に接続する第２配線（以下、リード線５３）をさらに備える。
【００２２】
基板３０ａは、隣り合う２つのＬＥＤ４１ｂおよび４１ｃとの間に設けられた第３パッド（以下、パッド部３５ｂ）を有する。パッド部３５ｂは、ＬＥＤ４１ｂの中心を通りＹ方向に延びる中心線Ｃ２と、ＬＥＤ４１ｃの中心を通りＹ方向に延びる中心線Ｃ３と、の間に設けられる。そして、パッド部３５ｂは、ＬＥＤ４１ｂとＬＥＤ４１ｃとの間のスペースに向かって延在する。
【００２３】
リード線５３の一方の端５３ａは、パッド部３５ｂに接続される。例えば、リード線５３の端５３ａは、パッド部３５ｂの上に半田付けされる。そして、リード線５３の端５３ａは、好ましくは、ＬＥＤ４１ｂとＬＥＤ４１ｃとの間のスペースの方向に曲げて接続される。
【００２４】
基板３０ｂは、隣り合う２つのＬＥＤ４３ｂおよび４３ｃとの間に設けられた第４パッド（以下、パッド部３７ｂ）を有する。パッド部３７ｂは、ＬＥＤ４３ｂの中心を通りＹ方向に延びる中心線Ｃ５と、ＬＥＤ４３ｃの中心を通りＹ方向に延びる中心線Ｃ６と、の間に設けられる。そして、パッド部３７ｂは、ＬＥＤ４３ｂとＬＥＤ４３ｃとの間のスペースに向かって延在する。
【００２５】
リード線５３の他方の端５３ｂは、パッド部３７ｂに接続される。例えば、リード線５３の端５３ｂは、パッド部３７ｂの上に半田付けされる。そして、リード線５３の端５３ｂは、好ましくは、ＬＥＤ４３ｂとＬＥＤ４３ｃとの間のスペースの方向に曲げて接続される。
【００２６】
例えば、図５（ａ）は、比較例に係る照明装置７を表す平面図である。照明装置７は、基板１３０ａと、基板１３０ａの上に実装された複数のＬＥＤ４１と、基板１３０ｂと、基板１３０ｂの上に実装された複数のＬＥＤ４３と、を備える。基板１３０ａおよび基板１３０ｂは、Ｘ方向に並べて配置され、ＬＥＤ４１および４３は、各基板上においてＸ方向に並べて配置される。そして、照明装置７は、基板３０ａと基板３０ｂとの間を電気的に接続するリード線５５および５７を備える。
【００２７】
基板１３０ａは、配線パターン１３３ａを有する。また、基板１３０ａの基板１３０ｂに向き合う端部において、配線パターン１３３ａは、パッド部３９ａおよび３９ｃを有する。一方、基板１３０ｂは、配線パターン１３３ｂを有し、基板１３０ａに向き合う端部において、パッド部３９ｂおよび３９ｄを有する。そして、リード線５５の一方の端は、パッド部３９ａに接続され、他方の端は、パッド部３９ｂに接続される。また、リード線５７の一方の端は、パッド部３９ｃに接続され、他方の端は、パッド部３９ｄに接続される。
【００２８】
このように、リード線５５および５７は、基板１３０ａの端部および基板１３０ｂの端部に設けられたパッド部３９ａ〜３９ｄを介して、両基板にそれぞれ設けられた配線パターン１３３ａと配線パターン１３３ｂとを電気的に接続する。
【００２９】
図５（ａ）に表すように、パッド部３９ａ〜３９ｄは、基板１３０ａに実装された複数のＬＥＤ４１のうちの基板１３０ｂ側の端に位置するＬＥＤ４１ｅと、基板１３０ｂに実装された複数のＬＥＤ４３のうちの基板１３０ａ側の端に位置するＬＥＤ４３ｅと、の間に設けられる。
【００３０】
例えば、透光性カバー１０から放射される光を均一にするために、Ｘ方向におけるＬＥＤ４１および４３のそれぞれは、Ｘ方向に等間隔に配置することが好ましい。したがって、ＬＥＤ４１ｅとＬＥＤ４３ｅとの間隔は、他のＬＥＤ間の間隔と同じである。そして、パッド部３９ａ〜３９ｄは、ＬＥＤ４１ｅとＬＥＤ４３ｅとの間の限られたスペースに配置される。さらに、パッド部３９ａ〜３９ｄ、および、その両側に位置するカシメ部２５は、所定の絶縁耐圧を確保できる間隔を持って相互に隔離して配置する必要がある。このため、パッド部３９ａ〜３９ｄを配置するスペースは、Ｙ方向に拡大し、カシメ部２５の間の基板１３０ａおよび１３０ｂの幅Ｗ２が広くなる。
【００３１】
これに対し、図１（ｂ）に表すように、照明装置１では、パッド部３５ａ、３５ｂ、３７ａおよび３７ｂを、それぞれ各ＬＥＤ間の異なるスペースに配置する。したがって、各パッド部をスペース的に余裕を持って配置することができる。そして、各パッド部を、それぞれが設けられたＬＥＤの間の中心方向に延在させることが可能となる。これにより、基板３０ａおよび３０ｂの両側に位置するカシメ部２５と、各パッド部と、の間隔ΔＷを所定の幅に維持しながら、カシメ部２５の間の基板３０ａおよび３０ｂの幅Ｗ１を狭くすることができる。例えば、照明装置７の基板３０の幅Ｗ２よりもＷ１を狭くすることができる。
【００３２】
このように、基板３０ａおよび３０ｂのＹ方向の幅Ｗ１を狭くすることが可能になれば、透光性カバー１０の直径ＤＬも小さくすることができる。そして、管径の細い蛍光灯の規格、例えば、Ｔ５型に対応したＬＥＤ照明装置を実現することができる。
【００３３】
一方、透光性カバー１０の直径ＤＬを小さくすると、台座２０の断面のサイズも小さくなる。このため、照明装置１の剛性が低下し、図５（ｂ）に表すように、自重で下方に撓む恐れがある。
【００３４】
実施形態では、リード線５１および５３のそれぞれの端部をＬＥＤ間のスペースの方向に曲げて接続することにより、リード線５１と、パッド部３５ａ、３７ａと、の間の接続強度を高くする。また、リード線５３と、パッド部３５ｂ、３７ｂと、の間の接続強度も高くすることができる。さらに、リード線５１および５３に用いる材料の剛性を高くすることにより、照明装置１の剛性を向上させ、撓み量Δｄを抑制することができる。
【００３５】
図２（ａ）および（ｂ）は、実施形態に係る照明装置に使用される部材（リード線）を表す模式図である。
【００３６】
リード線５１および５３には、例えば、高い剛性を有するタングステン（Ｗ）などを用いることができる。そして、図２（ａ）に表すように、リード線５１および５３の表面に、ＬＥＤ光に対する反射率が高く、放熱性の良い部材、例えば、高輻射塗料５７をコーティングすることが望ましい。これにより、ＬＥＤ４１および４３が放射する光を反射させて輝度を向上させると共に、放熱性を向上させることができる。
【００３７】
また、リード線５１および５３に代えて、図２（ｂ）に表す筒状の中空構造を有するリード線５５を用いても良い。リード線５５は、リード線５１および５３よりも剛性が高く、その重量も軽減される。さらに、リード線５５においても、その外面に高輻射塗料をコーティングすることが望ましい。
【００３８】
図３（ａ）および図４（ｂ）は、実施形態の変形例に係る照明装置３〜６を表す模式図である。ここでは、ＬＥＤ４１、４３およびパッド部を除いた基板の表面に高輻射塗料をコーティングした例を示す。したがって、各基板の表面には、ＬＥＤ４１、４３およびパッド部が表され、配線パターンは隠されている。なお、各基板の表面にコーティングした高輻射塗料により、ＬＥＤの放熱性および光出力が向上する。
【００３９】
図３（ａ）は、照明装置３に用いられる基板３０ａおよび３０ｂを表す平面図である。基板３０ａおよび基板３０ｂは、Ｘ方向に並設され、各基板上には、複数のＬＥＤ４１および複数のＬＥＤ４３が実装されている。基板３０ａと基板３０ｂとの間は、リード線５１および５３により電気的に接続される。
【００４０】
リード線５１の一方の端５１ａは、ＬＥＤ４１ａとＬＥＤ４１ｂとの間に設けられたパッド部３５ａに接続される。一方、リード線５１の他方の端５１ｂは、ＬＥＤ４１ｃとＬＥＤ４３ａとの間に設けられたパッド部３７ｃに接続される。パッド部３７ｃは、基板３０ｂの端部に設けられる。
【００４１】
一方、リード線５３では、その一方の端５３ｂは、ＬＥＤ４３ｂとＬＥＤ４３ｃとの間に設けられたパッド部３７ｂに接続される。そして、リード線５３の他方の端５３ａは、ＬＥＤ４１ｃとＬＥＤ４３ａとの間に設けられたパッド部３５ｃに接続される。パッド部３５ｃは、基板３０ａの端部に設けられる。
【００４２】
このように、各基板の端に設けられたパッド部３５ｃ、および、パッド部３７ｃにそれぞれリード線５３の端５３ａおよびリード線５１の端５１ｂを接続しても良い。すなわち、リード線５１の一方の端５１ａおよびリード線５３の一方の端５３ｂを、各基板の端部とは別のスペースに設けられたパッド部３５ａおよび３７ｂに接続することにより、ＬＥＤ４１ｃとＬＥＤ４３ａとの間の各基板の端部のスペースに余裕を持たせることができる。これにより、基板３０ａおよび３０ｂのＹ方向の幅を狭め、透光性カバー１０の直径ＤＬを小さくすることが可能となる。
【００４３】
図３（ｂ）は、照明装置４に用いられる基板３０ａおよび３０ｂを表す平面図である。基板３０ａおよび基板３０ｂは、Ｘ方向に並設され、各基板上には、複数のＬＥＤ４１および複数のＬＥＤ４３が実装されている。基板３０ａと、基板３０ｂと、の間は、リード線５１および５３により電気的に接続される。
【００４４】
リード線５１の一方の端５１ａは、ＬＥＤ４１ｂとＬＥＤ４１ｃとの間に設けられたパッド部３５ｄに接続される。一方、リード線５１の他方の端５１ｂは、ＬＥＤ４３ａとＬＥＤ４３ｂとの間に設けられたパッド部３７ａに接続されている。
【００４５】
さらに、リード線５３の一方の端５３ａは、ＬＥＤ４１ｂとＬＥＤ４１ｃとの間に設けられたパッド部３５ｂに接続される。そして、リード線５３の他方の端５３ｂは、ＬＥＤ４３ａとＬＥＤ４３ｂとの間に設けられたパッド部３７ｄに接続されている。
【００４６】
このように、ＬＥＤ４１ｂとＬＥＤ４１ｃとの間に２つのパッド部３５ｂ、３５ｄを設け、ＬＥＤ４３ａとＬＥＤ４３ｂとの間に２つのパッド部３７ａ、３７ｄを設けることができる。そして、基板３０ａにおいて、リード線５１および５３のそれぞれの一方の端を同じＬＥＤ間に設けられた２つのパッド部に接続し、基板３０ｂにおいて、リード線５１および５３のそれぞれの他方の端を同じＬＥＤ間に設けられた２つのパッド部に接続しても良い。
【００４７】
図４（ａ）は、照明装置５に用いられる基板３０ａおよび３０ｂを表す平面図である。基板３０ａおよび基板３０ｂは、Ｘ方向に並設され、各基板上には、複数のＬＥＤ４１および複数のＬＥＤ４３が実装されている。基板３０ａと、基板３０ｂと、の間は、リード線６１により電気的に接続される。
【００４８】
照明装置５において、ＬＥＤ４１およびＬＥＤ４３を駆動する電流は、基板３０ａから基板３０ｂへの一方向に流れる。すなわち、透光性カバー１０の両側に設けられた口金１３の一方から他方へ電流を供給する。このため、基板３０ａと基板３０ｂとの間は、１本のリード線６１により電気的に接続することができる。
【００４９】
リード線６１の一方の端６１ａは、ＬＥＤ４１ｃとＬＥＤ４１ｄとの間に設けられたパッド部７１ａに接続される。一方、リード線６１の他方の端６１ｂは、ＬＥＤ４３ａとＬＥＤ４３ｂとの間に設けられたパッド部７３ａに接続される。
【００５０】
照明装置５は、基板３０ａに設けられた２つのパッド部７１ｂおよび７１ｃを電気的に接続するリード線６３と、基板３０ｂに設けられた２つのパッド部７３ｂおよび７３ｃを電気的に接続するリード線６５と、をさらに備える。すなわち、リード線６３は、基板３０ａの上に実装されたＬＥＤ４１の間を電気的に接続し、リード線６５は、基板３０ｂの上に実装されたＬＥＤ４３の間を電気的に接続する。このように、同一基板上に実装されたＬＥＤ間を電気的に接続するリード線を設けても良い。これにより、照明装置５の剛性を向上させることができる。
【００５１】
なお、リード線６３および６５を接続するパッド部７１ｂ、７１ｃ、７３ｂ、７３ｃは、それぞれ各基板上に配置されたＬＥＤ間に設けられる。これにより、基板３０ａおよび３０ｂのＹ方向の幅を狭くし、透光性カバー１０の直径ＤＬを小さくすることが可能となる。
【００５２】
図４（ｂ）は、照明装置６に用いられる基板３０ａおよび３０ｂを表す平面図である。基板３０ａおよび基板３０ｂは、Ｘ方向に並設され、各基板上には、複数のＬＥＤ４１および複数のＬＥＤ４３が実装されている。基板３０ａと、基板３０ｂと、の間は、リード線８１および８３により電気的に接続される。
【００５３】
照明装置６では、ＬＥＤ４１およびＬＥＤ４３を駆動する電流は、基板３０ａから基板３０ｂへ流れ、そして、基板３０ｂから基板３０ａへ戻る。すなわち、透光性カバー１０の両側に設けられた口金１３の一方からＬＥＤ４１および４３に駆動電流を供給する。
【００５４】
リード線５１の一方の端５１ａは、ＬＥＤ４１ａとＬＥＤ４１ｂとの間に設けられたパッド部３５ａに接続される。一方、リード線５１の他方の端５１ｂは、ＬＥＤ４３ａとＬＥＤ４３ｂとの間に設けられたパッド部３７ａに接続される。
【００５５】
リード線５３の一方の端５３ａは、ＬＥＤ４１ｂとＬＥＤ４１ｃとの間に設けられたパッド部３５ｂに接続される。そして、リード線５３の他方の端５３ｂは、ＬＥＤ４３ｂとＬＥＤ４３ｃとの間に設けられたパッド部３７ｂに接続される。
【００５６】
照明装置６は、基板３０ａの上に実装されたＬＥＤ４１の間を電気的に接続するリード線８５、８７と、基板３０ｂの上に実装されたＬＥＤ４３の間を電気的に接続するリード線８８、８９と、を備える。これにより、照明装置６の剛性を向上させることができる。そして、リード線８５、８７、８８および８９を接続するパッド部は、それぞれ各基板上に配置されたＬＥＤ間に設けられる。これにより、基板３０ａおよび３０ｂのＹ方向の幅を狭くし、透光性カバー１０の直径ＤＬを小さくすることが可能である。
【００５７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５８】
１、３〜６、７・・・照明装置、  １０・・・透光性カバー、  １３・・・口金、  １５・・・突起、  ２０・・・台座、  ２３・・・上面、  ２５・・・カシメ部、  ３０、３０ａ、３０ｂ、１３０ａ、１３０ｂ・・・基板、  ３３ａ、３３ｂ、１３３ａ、１３３ｂ・・・配線パターン、  ３５ａ〜３５ｄ、３７ａ〜３７ｄ、３９ａ〜３９ｄ、７１ａ、７１ｂ、７３ａ、７３ｂ・・・パッド部、  ４０・・・発光体、  ４１、４３・・・ＬＥＤ、  ５１、５３、５５、５７、６１、６３、６５、８１、８５、８７、８８、８９・・・リード線、  ５１ａ、５１ｂ、５３ａ、５３ｂ、６１ａ、６１ｂ・・・端、  ５７・・・高輻射塗料
【図１】
2015056386.tif 000003
【図２】
2015056386.tif 000004
【図３】
2015056386.tif 000005
【図４】
2015056386.tif 000006
【図５】
2015056386.tif 000007